(57)【要約】【課題】出金されるべき貨幣の金種に対応する収納繰出部における貨幣の集積状態に異常がある場合でも、貨幣の出金処理にかかる時間が長くなってしまうことを防止することができる貨幣処理機および貨幣処理方法を提供する。【解決手段】貨幣処理機１は、貨幣を金種毎に収納するとともに収納されている貨幣を繰り出し可能な複数の収納繰出部と、貨幣の出金処理が行われる際に、ある収納繰出部における貨幣の集積状態に異常がある場合には、この収納繰出部から貨幣を繰り出す代わりに、当該収納繰出部に係る金種の金額よりも小さい金額の金種に対応する別の収納繰出部から同じ金額分の貨幣を繰り出すよう収納繰出部を制御する制御部８０と、を備えている。【選択図】図１
2018147224.tif 000002
【特許請求の範囲】
【請求項１】
貨幣を金種毎に収納するとともに収納されている貨幣を繰り出し可能な複数の収納繰出部と、
前記収納繰出部から繰り出された貨幣を出金する出金部と、
貨幣の出金処理が行われる際に、ある前記収納繰出部における貨幣の集積状態に異常がある場合には、この前記収納繰出部から貨幣を繰り出す代わりに、当該収納繰出部に係る金種の金額よりも小さい金額の金種に対応する別の前記収納繰出部から同じ金額分の貨幣を繰り出すよう前記収納繰出部を制御する制御部と、
を備えた、貨幣処理機。
【請求項２】
各前記収納繰出部における貨幣の集積状態を事前に判定する判定手段を更に備え、
前記制御部は、前記判定手段による判定結果に基づいて、各前記収納繰出部において貨幣の集積状態に異常があるか否かを判断するようになっている、請求項１記載の貨幣処理機。
【請求項３】
各前記収納繰出部として、硬貨を金種毎に収納するとともに収納されている硬貨を繰り出し可能な硬貨収納繰出部が少なくとも設けられており、
前記硬貨収納繰出部は、硬貨が集積される硬貨集積部分と、前記硬貨集積部分から送られた硬貨が一層一列状態で待機する整列部分と、前記整列部分に所定枚数の硬貨が待機しているか否かを検知する硬貨検知部分とを有しており、硬貨の出金処理が行われる際に前記整列部分で待機している硬貨が繰り出されるようになっており、
前記判定手段は、前記整列部分に所定枚数の硬貨が待機していることが前記硬貨検知部分により検知されていない場合に、前記硬貨収納繰出部において硬貨の集積状態に異常があると判定するようになっている、請求項２記載の貨幣処理機。
【請求項４】
前記整列部分に所定枚数の硬貨が待機しているか否かを前記硬貨検知部分により検知する態様が硬貨の金種によって異なるようになっている、請求項３記載の貨幣処理機。
【請求項５】
前記硬貨検知部分は、前記整列部分で待機している硬貨を検知するセンサを含み、
前記硬貨検知部分における前記センサの数が硬貨の金種によって異なるようになっている、請求項４記載の貨幣処理機。
【請求項６】
各前記収納繰出部として、紙幣を金種毎に収納するとともに収納されている紙幣を繰り出し可能な紙幣収納繰出部が少なくとも設けられており、
前記制御部は、前記紙幣収納繰出部に収納されている紙幣の枚数に係る在高を管理するようになっており、
前記制御部は、紙幣の出金処理が行われる際に前記紙幣収納繰出部から繰り出される紙幣について出金リジェクトが発生した場合には出金リジェクトが発生した紙幣の枚数に所定の係数を掛けた数を在高から減算した出金用仮想在高を算出するようになっており、
前記制御部は、貨幣の出金処理が行われる際に、ある前記紙幣収納繰出部における紙幣の集積状態に異常がある場合に加えて、ある前記紙幣収納繰出部における出金用仮想在高が０となった場合に、この前記紙幣収納繰出部から紙幣を繰り出す代わりに、当該紙幣収納繰出部に係る金種の金額よりも小さい金額の金種に対応する別の前記紙幣収納繰出部から同じ金額分の貨幣を繰り出すよう前記紙幣収納繰出部を制御するようになっている、請求項１乃至５のいずれか一項に記載の貨幣処理機。
【請求項７】
各前記収納繰出部として、紙幣を金種毎に収納するとともに収納されている紙幣を繰り出し可能な紙幣収納繰出部が少なくとも設けられており、
前記紙幣収納繰出部は、紙幣が集積される紙幣集積部分と、前記紙幣集積部分から紙幣を繰り出す紙幣繰出機構と、前記紙幣集積部分に紙幣が集積されているか否かを検知する紙幣検知部分とを有しており、紙幣の出金処理が行われる際に前記紙幣集積部分に集積されている紙幣が前記紙幣繰出機構により繰り出されるようになっており、
前記制御部は、貨幣の出金処理が行われる際に、ある前記紙幣収納繰出部における紙幣の集積状態に異常がある場合に加えて、ある前記紙幣収納繰出部に紙幣が集積されていないことが前記紙幣検知部分により検知された場合に、この前記紙幣収納繰出部から紙幣を繰り出す代わりに、当該紙幣収納繰出部に係る金種の金額よりも小さい金額の金種に対応する別の前記紙幣収納繰出部から同じ金額分の貨幣を繰り出すよう前記紙幣収納繰出部を制御するようになっている、請求項１乃至５のいずれか一項に記載の貨幣処理機。
【請求項８】
各前記収納繰出部として、硬貨を金種毎に収納するとともに収納されている硬貨を繰り出し可能な硬貨収納繰出部および紙幣を金種毎に収納するとともに収納されている紙幣を繰り出し可能な紙幣収納繰出部が設けられており、
前記制御部は、貨幣の出金処理が行われる際に、ある前記紙幣収納繰出部における紙幣の集積状態に異常がある場合には、この前記紙幣収納繰出部から紙幣を繰り出す代わりに、当該紙幣収納繰出部に係る金種の金額よりも小さい金額の金種に対応する前記硬貨収納繰出部から同じ金額分の硬貨を繰り出すよう前記硬貨収納繰出部を制御する、請求項１乃至７のいずれか一項に記載の貨幣処理機。
【請求項９】
貨幣を金種毎に収納するとともに収納されている貨幣を繰り出し可能な複数の収納繰出部、および前記収納繰出部から繰り出された貨幣を出金する出金部を有する貨幣処理機による貨幣処理方法であって、
貨幣の出金処理が行われる際に、出金されるべき貨幣の金種に対応する各前記収納繰出部における貨幣の集積状態に異常があるか否かを判断する工程と、
ある前記収納繰出部における貨幣の集積状態に異常がない場合に、この前記収納繰出部から貨幣を繰り出し、一方、ある前記収納繰出部における貨幣の集積状態に異常がある場合に、この前記収納繰出部から貨幣を繰り出す代わりに、当該収納繰出部に係る金種の金額よりも小さい金額の金種に対応する別の前記収納繰出部から同じ金額分の貨幣を繰り出す工程と、
繰り出された貨幣を前記出金部により出金する工程と、
を備えた、貨幣処理方法。
【発明の詳細な説明】
【技術分野】
【０００１】
本発明は、紙幣や硬貨等の貨幣の処理を行う貨幣処理機およびこのような貨幣処理機による貨幣処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。
【０００３】
このような貨幣釣銭機は、売上金としての硬貨の入金処理を行うとともに、釣銭としての硬貨の出金処理を行う硬貨釣銭装置と、売上金としての紙幣の入金処理を行うとともに、釣銭としての紙幣の出金処理を行う紙幣釣銭装置とを備えている。硬貨釣銭装置としては例えば特許文献１等に開示されるものが従来から知られている。特許文献１等に開示される従来の硬貨釣銭装置において、硬貨を金種毎に収納する複数の硬貨収納部の各々には、収納されている硬貨を１層１列状態で１枚ずつ繰り出すための繰出ベルトが設けられている。また、特許文献１等に開示される従来の硬貨釣銭装置において、繰出ベルト上には、硬貨が集積される硬貨集積部分と、硬貨集積部分から送られた硬貨が一層一列状態で所定枚数（例えば、４枚）だけ待機する整列部分とがそれぞれ設けられており、釣銭としての硬貨の出金処理が行われる際に整列部分で待機している硬貨が繰出ベルトにより繰り出されるようになっている。このように整列部分に硬貨を待機させておくことにより釣銭としての硬貨の出金処理にかかる時間を短縮することができるようになる。
【先行技術文献】
【特許文献】
【０００４】
【特許文献１】特許第３３３２７９３号
【発明の概要】
【発明が解決しようとする課題】
【０００５】
特許文献１等に開示される従来の硬貨釣銭装置において、整列部分に所定枚数の硬貨が待機していない場合には、釣銭としての硬貨の出金処理が行われる際に、出金されるべき硬貨の枚数によっては整列部分で待機している硬貨の枚数が不足することにより集積部分から硬貨を繰り出さなければならず、硬貨の出金処理にかかる時間が長くなってしまうという問題がある。また、紙幣釣銭装置についても、当該紙幣釣銭装置における紙幣収納部に収納されている紙幣の集積状態が悪い場合にはこの紙幣収納部から紙幣をスムーズに繰り出すことができず、紙幣の出金処理にかかる時間が長くなってしまうという問題がある。
【０００６】
本発明は、このような点を考慮してなされたものであり、出金されるべき貨幣の金種に対応する収納繰出部における貨幣の集積状態に異常がある場合でも、貨幣の出金処理にかかる時間が長くなってしまうことを防止することができる貨幣処理機および貨幣処理方法を提供することを目的とする。
【課題を解決するための手段】
【０００７】
本発明の貨幣処理機は、貨幣を金種毎に収納するとともに収納されている貨幣を繰り出し可能な複数の収納繰出部と、前記収納繰出部から繰り出された貨幣を出金する出金部と、貨幣の出金処理が行われる際に、ある前記収納繰出部における貨幣の集積状態に異常がある場合には、この前記収納繰出部から貨幣を繰り出す代わりに、当該収納繰出部に係る金種の金額よりも小さい金額の金種に対応する別の前記収納繰出部から同じ金額分の貨幣を繰り出すよう前記収納繰出部を制御する制御部と、を備えたことを特徴とする。
【０００８】
このような貨幣処理機によれば、貨幣の出金処理が行われる際に、ある収納繰出部における貨幣の集積状態に異常がある場合には、この収納繰出部から貨幣を繰り出す代わりに、当該収納繰出部に係る金種の金額よりも小さい金額の金種に対応する別の収納繰出部から同じ金額分の貨幣を繰り出すことにより、出金されるべき貨幣の金種に対応する収納繰出部における貨幣の集積状態に異常がある場合でも、貨幣の出金処理にかかる時間が長くなってしまうことを防止することができる。
【０００９】
本発明の貨幣処理機は、各前記収納繰出部における貨幣の集積状態を事前に判定する判定手段を更に備え、前記制御部は、前記判定手段による判定結果に基づいて、各前記収納繰出部において貨幣の集積状態に異常があるか否かを判断するようになっていてもよい。
【００１０】
この場合、各前記収納繰出部として、硬貨を金種毎に収納するとともに収納されている硬貨を繰り出し可能な硬貨収納繰出部が少なくとも設けられており、前記硬貨収納繰出部は、硬貨が集積される硬貨集積部分と、前記硬貨集積部分から送られた硬貨が一層一列状態で待機する整列部分と、前記整列部分に所定枚数の硬貨が待機しているか否かを検知する硬貨検知部分とを有しており、硬貨の出金処理が行われる際に前記整列部分で待機している硬貨が繰り出されるようになっており、前記判定手段は、前記整列部分に所定枚数の硬貨が待機していることが前記硬貨検知部分により検知されていない場合に、前記硬貨収納繰出部において硬貨の集積状態に異常があると判定するようになっていてもよい。
【００１１】
また、前記整列部分に所定枚数の硬貨が待機しているか否かを前記硬貨検知部分により検知する態様が硬貨の金種によって異なるようになっていてもよい。
【００１２】
この際に、前記硬貨検知部分は、前記整列部分で待機している硬貨を検知するセンサを含み、前記硬貨検知部分における前記センサの数が硬貨の金種によって異なるようになっていてもよい。
【００１３】
本発明の貨幣処理機においては、各前記収納繰出部として、紙幣を金種毎に収納するとともに収納されている紙幣を繰り出し可能な紙幣収納繰出部が少なくとも設けられており、前記制御部は、前記紙幣収納繰出部に収納されている紙幣の枚数に係る在高を管理するようになっており、前記制御部は、紙幣の出金処理が行われる際に前記紙幣収納繰出部から繰り出される紙幣について出金リジェクトが発生した場合には出金リジェクトが発生した紙幣の枚数に所定の係数を掛けた数を在高から減算した出金用仮想在高を算出するようになっており、前記制御部は、貨幣の出金処理が行われる際に、ある前記紙幣収納繰出部における紙幣の集積状態に異常がある場合に加えて、ある前記紙幣収納繰出部における出金用仮想在高が０となった場合に、この前記紙幣収納繰出部から紙幣を繰り出す代わりに、当該紙幣収納繰出部に係る金種の金額よりも小さい金額の金種に対応する別の前記紙幣収納繰出部から同じ金額分の貨幣を繰り出すよう前記紙幣収納繰出部を制御するようになっていてもよい。
【００１４】
本発明の貨幣処理機においては、各前記収納繰出部として、紙幣を金種毎に収納するとともに収納されている紙幣を繰り出し可能な紙幣収納繰出部が少なくとも設けられており、前記紙幣収納繰出部は、紙幣が集積される紙幣集積部分と、前記紙幣集積部分から紙幣を繰り出す紙幣繰出機構と、前記紙幣集積部分に紙幣が集積されているか否かを検知する紙幣検知部分とを有しており、紙幣の出金処理が行われる際に前記紙幣集積部分に集積されている紙幣が前記紙幣繰出機構により繰り出されるようになっており、前記制御部は、貨幣の出金処理が行われる際に、ある前記紙幣収納繰出部における紙幣の集積状態に異常がある場合に加えて、ある前記紙幣収納繰出部に紙幣が集積されていないことが前記紙幣検知部分により検知された場合に、この前記紙幣収納繰出部から紙幣を繰り出す代わりに、当該紙幣収納繰出部に係る金種の金額よりも小さい金額の金種に対応する別の前記紙幣収納繰出部から同じ金額分の貨幣を繰り出すよう前記紙幣収納繰出部を制御するようになっていてもよい。
【００１５】
本発明の貨幣処理機においては、各前記収納繰出部として、硬貨を金種毎に収納するとともに収納されている硬貨を繰り出し可能な硬貨収納繰出部および紙幣を金種毎に収納するとともに収納されている紙幣を繰り出し可能な紙幣収納繰出部が設けられており、前記制御部は、貨幣の出金処理が行われる際に、ある前記紙幣収納繰出部における紙幣の集積状態に異常がある場合には、この前記紙幣収納繰出部から紙幣を繰り出す代わりに、当該紙幣収納繰出部に係る金種の金額よりも小さい金額の金種に対応する前記硬貨収納繰出部から同じ金額分の硬貨を繰り出すよう前記硬貨収納繰出部を制御するようになっていてもよい。
【００１６】
本発明の貨幣処理方法は、貨幣を金種毎に収納するとともに収納されている貨幣を繰り出し可能な複数の収納繰出部、および前記収納繰出部から繰り出された貨幣を出金する出金部を有する貨幣処理機による貨幣処理方法であって、貨幣の出金処理が行われる際に、出金されるべき貨幣の金種に対応する各前記収納繰出部における貨幣の集積状態に異常があるか否かを判断する工程と、ある前記収納繰出部における貨幣の集積状態に異常がない場合に、この前記収納繰出部から貨幣を繰り出し、一方、ある前記収納繰出部における貨幣の集積状態に異常がある場合に、この前記収納繰出部から貨幣を繰り出す代わりに、当該収納繰出部に係る金種の金額よりも小さい金額の金種に対応する別の前記収納繰出部から同じ金額分の貨幣を繰り出す工程と、繰り出された貨幣を前記出金部により出金する工程と、を備えたことを特徴とする。
【００１７】
このような貨幣処理方法によれば、貨幣の出金処理が行われる際に、ある収納繰出部における貨幣の集積状態に異常がある場合には、この収納繰出部から貨幣を繰り出す代わりに、当該収納繰出部に係る金種の金額よりも小さい金額の金種に対応する別の収納繰出部から同じ金額分の貨幣を繰り出すことにより、出金されるべき貨幣の金種に対応する収納繰出部における貨幣の集積状態に異常がある場合でも、貨幣の出金処理にかかる時間が長くなってしまうことを防止することができる。
【発明の効果】
【００１８】
本発明の貨幣処理機および貨幣処理方法によれば、出金されるべき貨幣の金種に対応する収納繰出部における貨幣の集積状態に異常がある場合でも、貨幣の出金処理にかかる時間が長くなってしまうことを防止することができる。
【図面の簡単な説明】
【００１９】
【図１】本発明の実施の形態による貨幣処理機の構成を示す斜視図である。
【図２】図１に示す貨幣処理機における硬貨処理装置の内部を上方から鉛直方向下方に向かって見たときの構成を示す構成図である。
【図３】図２に示す硬貨処理装置におけるリジェクト部および硬貨収納部の構成を示す側面図である。
【図４】図２に示す硬貨処理装置における硬貨収納部および硬貨払出部の構成を示す縦断面図である。
【図５】図４に示す硬貨収納部に設けられた繰出部の構成を拡大して示す拡大縦断面図である。
【図６】図２に示す硬貨処理装置における硬貨収納部および硬貨払出部を上方から鉛直方向下方に向かって見たときの構成を示す上面図である。
【図７】図１に示す貨幣処理機における紙幣処理装置の内部を上方から鉛直方向下方に向かって見たときの構成を示す構成図である。
【図８】図１に示す貨幣処理機における制御系の構成を示す機能ブロック図である。
【発明を実施するための形態】
【００２０】
以下、図面を参照して本発明の実施の形態について説明する。図１乃至図８は、本実施の形態に係る貨幣処理機ならびにこのような貨幣処理機における硬貨処理装置および紙幣処理装置を示す図である。このうち、図１は、本実施の形態による貨幣処理機の構成を示す斜視図であり、図２は、図１に示す貨幣処理機における硬貨処理装置の内部を上方から鉛直方向下方に向かって見たときの構成を示す構成図である。また、図３は、図２に示す硬貨処理装置におけるリジェクト部および硬貨収納部の構成を示す側面図であり、図４は、図２に示す硬貨処理装置における硬貨収納部および硬貨払出部の構成を示す縦断面図であり、図５は、図４に示す硬貨収納部に設けられた繰出部の構成を拡大して示す拡大縦断面図である。また、図６は、図２に示す硬貨処理装置における硬貨収納部および硬貨払出部を上方から鉛直方向下方に向かって見たときの構成を示す上面図である。また、図７は、図１に示す貨幣処理機における紙幣処理装置の内部を上方から鉛直方向下方に向かって見たときの構成を示す構成図である。また、図８は、図１に示す貨幣処理機における制御系の構成を示す機能ブロック図である。なお、図３、図５および図６において、本実施の形態による硬貨処理装置により処理される硬貨を参照符合Ｃで示す。
【００２１】
コンビニエンスストアやスーパーマーケット等の商業施設の店舗において、顧客が立ち入ることができるフロント領域には様々な商品が陳列された商品棚が設置されているとともに、このフロント領域の精算所には図１に示すような貨幣処理機１（貨幣釣銭機）やＰＯＳレジスタが設置されている。顧客がこのような精算所で精算処理を行う際に、店員は、顧客から受け取った商品の代金としての貨幣を貨幣釣銭機としての貨幣処理機１に入金したり、釣銭としての貨幣を貨幣処理機１から出金して顧客に返却したりするようになっている。また、ＰＯＳレジスタにより、顧客が購入した商品に係る情報や貨幣処理機１に収納されている貨幣に係る情報等の管理が行われるようになっている。また、このような店舗における顧客の立ち入りが禁止されたバックヤード領域（具体的には、例えば出納室）には、貨幣処理機１から回収された売上金としての貨幣を入金する出納機等の貨幣入出金機が設置されている。また、貨幣処理機１において釣銭としての貨幣が不足する場合には、貨幣入出金機から釣銭補充金としての貨幣を出金し、この貨幣入出金機から出金された釣銭補充金としての貨幣を貨幣処理機１に補充することができるようになっている。このような貨幣処理機１ならびに当該貨幣処理機１を構成する硬貨処理装置２および紙幣処理装置３の詳細について以下に説明する。
【００２２】
図１に示すように、本実施の形態による貨幣処理機１は、略直方体形状の外側筐体１ａと、左右に並ぶよう配置され、外側筐体１ａからそれぞれ手前側に引出可能となっている硬貨処理装置２および紙幣処理装置３とを備えており、硬貨処理装置２や紙幣処理装置３の上方にはＰＯＳレジスタ（図示せず）が載置されるようになっている。硬貨処理装置２および紙幣処理装置３は、それぞれ、硬貨や紙幣の入金処理および出金処理を行うようになっている。
【００２３】
図２等に示すように、硬貨処理装置２は、略直方体形状の内側筐体１０と、内側筐体１０の前面側に設けられ、硬貨の入金処理を行う際に操作者によって硬貨が投入される硬貨受入部１２と、内側筐体１０の前面側に設けられ、硬貨の出金処理を行う際に硬貨が払い出される硬貨払出部３２（出金部）と、内側筐体１０の内部で硬貨を金種毎に収納する複数の硬貨収納部３０ａ〜３０ｆとを備えている。ここで、複数の硬貨収納部３０ａ〜３０ｆは内側筐体１０の幅方向（すなわち、図２の左右方向）に沿って並列に並ぶよう配置されており、各硬貨収納部３０ａ〜３０ｆにはそれぞれ５０円硬貨、５円硬貨、５００円硬貨、１００円硬貨、１０円硬貨および１円硬貨がこの順で収納されるようになっている。
【００２４】
硬貨受入部１２は、硬貨投入口を介して受け入れた硬貨を１層１列状態で１枚ずつ内側筐体１０内に取り込むようになっている。また、硬貨受入部１２には図示しない残留検知センサが設けられており、硬貨受入部１２に受け入れられた硬貨は残留検知センサによって検知されるようになっている。また、硬貨受入部１２には、図２における左方向に移動する繰出ベルト１４ａ等からなる繰出部１４が設けられており、硬貨受入部１２に受け入れられた硬貨が残留検知センサによって検知されるとこの繰出部１４が駆動されることにより当該繰出部１４によって硬貨が内側筐体１０の内部に１枚ずつ繰り出されるようになっている。また、図２に示すように、硬貨受入部１２には、繰出部１４により内側筐体１０の内部に繰り出された硬貨を１層１列状態で搬送する入金搬送部１６が接続されている。
【００２５】
図３に示すように、入金搬送部１６は、略水平方向に延びる搬送面１６ｃを有しており、この搬送面１６ｃ上で硬貨は略水平方向の姿勢で搬送されるようになっている。また、入金搬送部１６は、複数のプーリ１６ｂにより張架された循環ベルト１６ａを有しており、繰出部１４により内側筐体１０の内部に繰り出された硬貨は循環ベルト１６ａとの間で働く摩擦力により内側筐体１０の内部で搬送されるようになっている。具体的には、循環ベルト１６ａは搬送面１６ｃからわずかな大きさの隙間（具体的には、概ね硬貨１枚分の厚さと略同一の大きさの隙間）を隔てて搬送面１６ｃの上方に配置されている。また、複数のプーリ１６ｂのうちある一つのプーリ１６ｂには駆動モータ（図示せず）が接続されており、当該駆動モータによりプーリ１６ｂが回転させられることにより循環ベルト１６ａは図２における反時計回りの方向に循環移動するようになっている。また、循環ベルト１６ａの下端部には搬送面１６ｃ上の硬貨を押動するための押動ピン（図示せず）が等間隔で複数設けられており、循環ベルト１６ａが図２における反時計回りの方向に循環移動すると、搬送面１６ｃ上の硬貨が押動ピンにより内側筐体１０の奥行き方向に押動されるようになる。このようにして、繰出部１４により内側筐体１０の内部に繰り出された硬貨は内側筐体１０の内部における右側の領域において搬送面１６ｃ上で略水平方向の姿勢で当該内側筐体１０の奥行き方向に搬送されるようになる。
【００２６】
図２に示すように、入金搬送部１６の途中には、硬貨の金種、真偽、正損、表裏、新旧、搬送状態等の識別を行う識別部１８が設けられている。また、識別部１８により正常な硬貨ではないと識別された硬貨や識別部１８により識別することができなかった硬貨を入金搬送部１６の搬送面１６ｃから分岐させて後述するリジェクト口２６により内側筐体１０の外部に排出するリジェクト部２４が設けられている。図３に示すように、リジェクト部２４は、硬貨を立位状態で自重により送るリジェクトシュート２４ａを有している。なお、図３において、入金搬送部１６により搬送される硬貨やリジェクトシュート２４ａによりリジェクト口２６に立位状態で送られる硬貨を参照符合Ｃで示している。ここで、リジェクトシュート２４ａは水平方向に対して斜め下方に傾斜しており、このリジェクトシュート２４ａの下流側の端部には、内側筐体１０の前面側に設けられたリジェクト口２６が設けられている。リジェクト口２６は内側筐体１０の前面側からアクセス可能となっており、リジェクトシュート２４ａからリジェクト口２６に送られた硬貨（リジェクト硬貨）を操作者は内側筐体１０の前面側から当該内側筐体１０の外部に取り出して硬貨受入部１２に再投入等することができるようになる。また、リジェクトシュート２４ａの上流側端部には、入金搬送部１６からリジェクトシュート２４ａへの硬貨の入口が設けられている。また、リジェクト部２４は、識別部１８により正常な硬貨ではないと識別された硬貨や識別部１８により識別することができなかった硬貨を入金搬送部１６の搬送面１６ｃから分岐させるためのゲート部材２５を有している。
【００２７】
図３に示すように、ゲート部材２５は略水平方向に延びる軸２５ａを有しており、この軸２５ａを中心として揺動するようになっている。このような軸２５ａは、入金搬送部１６による硬貨の搬送方向の下流側の端部に配置されている。また、ゲート部材２５は、図３において実線で示すような、略水平方向の姿勢となる閉止位置と、図３において二点鎖線で示すような、このような閉止位置から上方に突出する分岐位置との間で軸２５ａを中心として揺動するようになっており、ゲート部材２５が閉止位置に位置しているときには、このゲート部材２５の上面２５ｂは入金搬送部１６の搬送面１６ｃと略同一平面上に位置するようになる。このことにより、ゲート部材２５が閉止位置に位置しているときには、入金搬送部１６における搬送面１６ｃ上で搬送される硬貨は当該ゲート部材２５によりリジェクト部２４のリジェクトシュート２４ａに分岐されずにゲート部材２５の上面２５ｂを通って各金種別分岐部２２に送られるようになる。一方、ゲート部材２５が分岐位置に位置しているときには、入金搬送部１６における搬送面１６ｃ上で搬送される硬貨は当該ゲート部材２５によって入金搬送部１６からリジェクト部２４のリジェクトシュート２４ａに分岐され、このリジェクトシュート２４ａによりリジェクト口２６に送られるようになる。
【００２８】
図２に示すように、入金搬送部１６による硬貨の搬送方向におけるゲート部材２５の更に下流側には複数の金種別分岐部２２が各硬貨収納部３０ａ〜３０ｅに対応して直列に並ぶよう設けられている。具体的には、識別部１８により識別された硬貨の金種が５０円である場合には、図２における最も右側に位置する金種別分岐部２２により入金搬送部１６から当該５０円硬貨が分岐させられて硬貨収納部３０ａに送られるようになる。同様に、識別部１８により識別された硬貨の金種が５円である場合には、図２における右側から２番目に位置する金種別分岐部２２により入金搬送部１６から当該５円硬貨が分岐させられて硬貨収納部３０ｂに送られるようになる。また、識別部１８により識別された硬貨の金種が５００円である場合には、図２における右側から３番目に位置する金種別分岐部２２により入金搬送部１６から当該５００円硬貨が分岐させられて硬貨収納部３０ｃに送られるようになる。また、識別部１８により識別された硬貨の金種が１００円である場合には、図２における右側から４番目に位置する金種別分岐部２２により入金搬送部１６から当該１００円硬貨が分岐させられて硬貨収納部３０ｄに送られるようになる。また、識別部１８により識別された硬貨の金種が１０円である場合には、図２における右側から５番目に位置する金種別分岐部２２により入金搬送部１６から当該１０円硬貨が分岐させられて硬貨収納部３０ｅに送られるようになる。また、識別部１８により識別された硬貨の金種が１円である場合には、図２における右側から６番目に位置する金種別分岐部２２により入金搬送部１６から当該１円硬貨が分岐させられて硬貨収納部３０ｆに送られるようになる。このようにして識別部１８により識別された硬貨が各硬貨収納部３０ａ〜３０ｆに金種別に振り分けられてこれらの硬貨収納部３０ａ〜３０ｆに収納されるようになる。
【００２９】
図３および図４に示すように、各硬貨収納部３０ａ〜３０ｆは、複数の硬貨が集積される硬貨収納領域３１（硬貨集積部分）を有している。また、各硬貨収納部３０ａ〜３０ｆには、硬貨収納領域３１に収納されている硬貨を当該硬貨収納領域３１から１枚ずつ繰り出す繰出部４０が設けられている。これらの各硬貨収納部３０ａ〜３０ｆや繰出部４０の構成の詳細については後述する。繰出部４０により各硬貨収納部３０ａ〜３０ｆの硬貨収納領域３１から繰り出された硬貨は硬貨払出部３２に送られ、この硬貨払出部３２に集積されるようになっている。より詳細には、図２に示すように、６つの硬貨収納部３０ａ〜３０ｆのうち右から３つの硬貨収納部３０ａ〜３０ｃの手前側には、硬貨払出部３２に向かって斜め下方にわずかに傾斜している硬貨案内溝３４が形成されており、繰出部４０により硬貨収納部３０ａ〜３０ｃの硬貨収納領域３１から繰り出された硬貨はこの硬貨案内溝３４に立位状態で入り、硬貨案内溝３４において図２における左方向に硬貨が立位状態で転がりながら移動することにより硬貨払出部３２に送られるようになる。一方、６つの硬貨収納部３０ａ〜３０ｆのうち左から３つの硬貨収納部３０ｄ〜３０ｆの硬貨収納領域３１から繰出部４０により繰り出された硬貨は硬貨払出部３２に直接送られるようになる。また、硬貨払出部３２は内側筐体１０の外部に露出しており、操作者はこの硬貨払出部３２に集積されている硬貨を手で掴んで内側筐体１０の外部に取り出すことができるようになっている。また、図３および図４に示すように、各硬貨収納部３０ａ〜３０ｆには、硬貨収納領域３１に収容された硬貨がフル状態またはニアフル状態となったときにこのことを検知するフル検知センサ３１ａが設けられている。
【００３０】
図３および図４に示すように、繰出部４０は、硬貨収納領域３１の底部に配置され、複数のプーリ４４により張架された帯状の繰出ベルト４２と、複数のプーリ４４のうちある一つのプーリ４４に接続され、当該プーリ４４を正逆両方向に回転させる駆動モータ４４ａと、繰出ベルト４２との間でわずかな隙間（具体的には、硬貨収納部３０ａ〜３０ｆに収納されるべき金種の硬貨の厚さよりもわずかに大きな隙間）を隔てて当該繰出ベルト４２の上方に配置される逆転ローラ４６と、繰出ベルト４２との間でわずかな隙間（具体的には、硬貨収納部３０ａ〜３０ｆに収納されるべき金種の硬貨の厚さよりもわずかに大きな隙間）を隔てて当該繰出ベルト４２の上方に配置されるガイド部材４３とを有している。ここで、硬貨収納領域３１に収容される硬貨は繰出ベルト４２上に載置されるようになっている。また、繰出ベルト４２は無端状の（言い換えると、環状の）平ベルトからなり、当該繰出ベルト４２の幅の大きさは硬貨収納領域３１の幅の大きさと略同一となっている。そして、駆動モータ４４ａによりこの駆動モータ４４ａに接続されるプーリ４４が硬貨の繰出方向に回転させられると繰出ベルト４２は図３や図４における時計回りの方向に循環移動し、この繰出ベルト４２上に載置されている硬貨は略水平姿勢で図３や図４における右方向に搬送され、逆転ローラ４６と繰出ベルト４２との間に形成される隙間を通って硬貨案内溝３４または硬貨払出部３２に送られるようになる。ここで、逆転ローラ４６は繰出ベルト４２による硬貨の繰出方向と逆方向（すなわち、図３や図４における時計回りの方向）に回転するようになっている。このことにより、繰出ベルト４２により繰り出される硬貨が逆転ローラ４６と繰出ベルト４２との間に形成される隙間を通る際に当該硬貨は１層１列状態に整列されるようになり、整列された硬貨が繰出ベルト４２により硬貨案内溝３４または硬貨払出部３２に送られるようになる。
【００３１】
また、繰出ベルト４２による硬貨の繰出方向における逆転ローラ４６よりも下流側にはガイド部材４３が設けられており、当該ガイド部材４３と繰出ベルト４２との間には、硬貨案内溝３４または硬貨払出部３２に送られる前の複数（具体的には、最大で４枚）の硬貨が１層１列状態で待機する硬貨待機領域４１（整列部分）が形成されている。また、本実施の形態では、駆動モータ４４ａがプーリ４４を硬貨の繰出方向とは逆方向に回転させることにより、繰出ベルト４２は硬貨の繰出方向と逆方向にも循環移動することができるようになっている。
【００３２】
また、図５に示すように、繰出部４０は、繰出ベルト４２により繰出方向（すなわち、図４や図５における右方向）に搬送される硬貨を選択的に停止させるための第１の停止部材４５と、第１の停止部材４５よりも硬貨の繰出方向における上流側に設けられ、繰出ベルト４２により繰出方向とは逆の方向に搬送される硬貨を停止させるための第２の停止部材４７とを有している。ここで、本実施の形態では、第１の停止部材４５と第２の停止部材４７との間に上述した硬貨待機領域４１が形成されるようになっている。また、第１の停止部材４５はソレノイド４５ａ（図８参照）により繰出ベルト４２に接近するような停止位置と繰出ベルト４２から上方に離間するような退避位置との間で図５における略上下方向に移動させられるようになっている。そして、第１の停止部材４５が停止位置に位置しているときには、繰出ベルト４２により硬貨収納領域３１から繰り出されて逆転ローラ４６と繰出ベルト４２との間の隙間を通過した硬貨は第１の停止部材４５によって停止させられるようになっている。このことにより、硬貨案内溝３４または硬貨払出部３２に送られる前の複数の硬貨が硬貨待機領域４１において１層１列状態で待機するようになる。一方、第１の停止部材４５が退避位置に位置しているときには、繰出ベルト４２により硬貨収納領域３１から繰り出されて逆転ローラ４６と繰出ベルト４２との間の隙間を通過した硬貨は第１の停止部材４５の下方の領域を通過して硬貨案内溝３４または硬貨払出部３２に送られるようになっている。
【００３３】
また、繰出ベルト４２による硬貨の繰出方向における第１の停止部材４５と第２の停止部材４７との間の距離は、硬貨収納部３０ａ〜３０ｆに収納されるべき金種の硬貨の直径の４倍よりも大きいとともに当該５倍の直径よりも小さな大きさとなっている。このことにより、最大で４枚の硬貨を硬貨待機領域４１に待機させておくことができるようになる。一般的に、硬貨処理装置２から出金される釣銭としての硬貨の金額は最大で９９９円であり、この場合には、各硬貨収納部３０ａ〜３０ｆに対応するそれぞれの硬貨待機領域４１に、１円硬貨を４枚、５円硬貨を１枚、１０円硬貨を４枚、５０円硬貨を１枚、１００円硬貨を４枚および５００円硬貨を１枚待機させておけば、釣銭としての硬貨の出金処理が行われる際に各硬貨待機領域４１に待機している硬貨を繰出ベルト４２により硬貨案内溝３４または硬貨払出部３２に送るだけで出金されるべき釣銭としての硬貨が全て硬貨払出部３２に集積されるようになるため、硬貨の払い出し動作を短時間で行うことができるようになる。
【００３４】
第２の停止部材４７は、繰出ベルト４２により搬送される硬貨を繰出方向（すなわち、図５における右方向）にのみ送ることができるような構成となっている。具体的には、第２の停止部材４７と繰出ベルト４２との間の距離は、硬貨収納部３０ａ〜３０ｆに収納されるべき金種の硬貨の厚さよりも小さくなっている。また、第２の停止部材４７は、繰出ベルト４２により繰出方向に搬送される硬貨が当該第２の停止部材４７を通過する際にこの硬貨によって上方に持ち上がるとともに繰出ベルト４２により繰出方向とは逆方向（すなわち、図５における左方向）に搬送される硬貨が第２の停止部材４７に接触すると当該第２の停止部材４７によりこの硬貨はこれ以上繰出方向とは逆方向に移動することができないような構成となっている。より詳細には、第２の停止部材４７は、図５に示すようなその底面が繰出ベルト４２の表面に対して傾斜している移動部分と、当該移動部分を図５における略上下方向に案内する案内レールとを有しており、第２の停止部材４７の近傍に硬貨が存在しない場合には、第２の停止部材４７の移動部分は自重により下方位置に位置するようになっている。このような下方位置に移動部分が位置しているときに、繰出ベルト４２により繰出方向に搬送される硬貨が当該第２の停止部材４７を通過する場合には、移動部分の底面が繰出ベルト４２の表面に対して傾斜しているため、移動部分が硬貨によって案内レールに沿って上方に持ち上げられるようになり、この硬貨は移動部分を通過して硬貨待機領域４１に送られる。一方、下方位置に移動部分が位置しているときに、繰出ベルト４２により繰出方向とは逆方向に搬送される硬貨が当該第２の停止部材４７を通過する場合には、この硬貨は移動部分の側面に当たることにより当該移動部分は硬貨によって上方に持ち上げられることはない。このような構成の第２の停止部材４７を用いた場合には、当該第２の停止部材４７を移動させる駆動機構を設けなくても、繰出ベルト４２により搬送される硬貨を第２の停止部材４７によって繰出方向にのみ送ることができるようになる。
【００３５】
なお、第２の停止部材４７は、上述した移動部分および案内レールを有するものに限定されることはない。第２の停止部材４７の他の例として、ソレノイド４７ａ（図８参照）により繰出ベルト４２に接近するような停止位置と繰出ベルト４２から上方に離間するような退避位置との間で図５における略上下方向に移動させられるものが用いられてもよい。この場合にも、ソレノイド４７ａが第２の停止部材４７を停止位置と退避位置との間で移動させることにより、繰出ベルト４２により搬送される硬貨を第２の停止部材４７によって選択的に停止させることができるようになる。また、第２の停止部材４７がソレノイド４７ａにより移動させられるようになっている場合には、当該第２の停止部材４７は繰出ベルト４２から上方に退避するのではなく繰出ベルト４２の左右方向または下方向に退避するようになっていてもよい。より詳細には、第２の停止部材４７が繰出ベルト４２の左方向または右方向に退避する場合には、繰出部４０による硬貨の搬送路の側縁（具体的には、第２の停止部材４７が設けられていない側の搬送路の側縁）と、停止位置に位置する第２の停止部材４７と間の距離が、硬貨の径よりも小さくなる。また、更に他の例として、繰出部４０による硬貨の搬送路において左右一対の第２の停止部材４７が設けられており、各第２の停止部材４７が当該搬送路からそれぞれ左方向および右方向に離間するようになっていてもよい。この場合には、停止位置に位置する各第２の停止部材４７の間の距離が硬貨の径よりも小さくなる。
【００３６】
また、本実施の形態では、図５および図６に示すように、１００円硬貨、１０円硬貨および１円硬貨にそれぞれ対応する硬貨収納部３０ｄ、３０ｅ、３０ｆから硬貨を繰り出す繰出部４０は、第１の停止部材４５の近傍に設けられた先頭検知センサ４９ａと、第２の停止部材４７の近傍に設けられた整列検知センサ４９ｂと、繰出ベルト４２による硬貨の繰出方向（すなわち、図４や図５の右方向）における第１の停止部材４５よりも下流側に設けられた繰出検知センサ４９ｃとを有している。ここで、先頭検知センサ４９ａは、繰出ベルト４２上で第１の停止部材４５と第２の停止部材４７との間に保留される硬貨のうち第１の停止部材４５に最も近い硬貨（すなわち、硬貨待機領域４１に待機している硬貨のうち先頭の硬貨）を検知するようになっている。また、整列検知センサ４９ｂは、繰出ベルト４２上で第１の停止部材４５と第２の停止部材４７との間に保留される硬貨のうち第２の停止部材４７に最も近い硬貨（すなわち、硬貨待機領域４１に待機している硬貨のうち末端の硬貨）を検知するようになっている。具体的には、整列検知センサ４９ｂは、硬貨待機領域４１において第１の停止部材４５から近い側から数えて４番目の硬貨が存在するか否かを検知するようになっている。また、繰出検知センサ４９ｃは、繰出ベルト４２により繰出方向に搬送される硬貨が第１の停止部材４５を通過して繰り出されたことを検知するようになっている。より詳細には、先頭検知センサ４９ａ、整列検知センサ４９ｂおよび繰出検知センサ４９ｃは、それぞれ、繰出ベルト４２上に形成される硬貨の搬送路を上下方向から挟むよう設けられた発光素子および受光素子を有する光センサから構成されており、発光素子から発せられた光が繰出ベルト４２上の硬貨によって遮られることにより受光素子によって受けられなくなると繰出ベルト４２上の硬貨を検知するようになっている。本実施の形態では、先頭検知センサ４９ａおよび整列検知センサ４９ｂにより、硬貨待機領域４１に所定の枚数（例えば、４枚）の硬貨が待機しているか否かを検知する硬貨検知部分が構成されている。また、繰出検知センサ４９ｃにより、繰出ベルト４２によって硬貨待機領域４１から繰り出されて第１の停止部材４５を通過した硬貨を検知することができるようになる。
【００３７】
また、本実施の形態では、図６に示すように、５０円硬貨、５円硬貨、５００円硬貨にそれぞれ対応する硬貨収納部３０ａ、３０ｂ、３０ｃから硬貨を繰り出す繰出部４０は、第１の停止部材４５の近傍に設けられた先頭検知センサ４９ａと、繰出ベルト４２による硬貨の繰出方向（すなわち、図４や図５の右方向）における第１の停止部材４５よりも下流側に設けられた繰出検知センサ４９ｃとを有しているものの、整列検知センサ４９ｂは設けられていない。上述したように、硬貨処理装置２から釣銭としての硬貨の出金処理が行われる際に、各硬貨収納部３０ａ、３０ｂ、３０ｃに対応するそれぞれの硬貨待機領域４１に、５０円硬貨、５円硬貨、５００円硬貨を少なくとも１枚待機させておけば、各硬貨収納部３０ａ、３０ｂ、３０ｃから硬貨を繰り出さなくても硬貨待機領域４１に待機している硬貨を繰出ベルト４２により繰り出すだけで釣銭としての硬貨の出金処理を行うことができる。このように、各硬貨収納部３０ａ、３０ｂ、３０ｃに対応する繰出部４０については、硬貨待機領域４１に少なくとも１枚の硬貨が待機しているか否かを検知できればよいため、整列検知センサ４９ｂを設置しなくても先頭検知センサ４９ａを設置するだけで、硬貨待機領域４１に所定の枚数（具体的には、１枚）の硬貨が待機しているか否かを検知することができるようになる。このように、本実施の形態では、硬貨待機領域４１に所定枚数の硬貨が待機しているか否かを検知する態様が硬貨の金種によって異なるようになっている。すなわち、硬貨待機領域４１に所定枚数の硬貨が待機しているか否かを検知するためのセンサの数が硬貨の金種によって異なるようになっている。
【００３８】
また、図４に示すように、各硬貨収納部３０ａ〜３０ｆの硬貨収納領域３１において繰出部４０の繰出ベルト４２上には鎖４８ａでつながれた撹拌部材４８が載置されており、この鎖４８ａの基端部分は各硬貨収納部３０ａ〜３０ｆの天井部分に取り付けられている。ここで、各硬貨収納部３０ａ〜３０ｆの硬貨収納領域３１において複数の硬貨が重なった状態で繰出ベルト４２から浮いてしまうような硬貨のブリッジ現象が生じた場合には、繰出ベルト４２を逆転させることにより（すなわち、図４における反時計回りの方向に繰出ベルト４２を循環移動させることにより）、撹拌部材４８を硬貨収納領域３１の後方側（すなわち、図４における左側）に移動させ、この撹拌部材４８によって硬貨収納領域３１の後方側で繰出ベルト４２から浮いた状態でブリッジしている硬貨を崩すことができるようになる。
【００３９】
本実施の形態では、各硬貨収納部３０ａ〜３０ｆと、当該硬貨収納部３０ａ〜３０ｆに対応する各繰出部４０とを組み合わせることにより、硬貨を金種毎に収納するとともに収納されている硬貨を繰り出し可能な複数の硬貨収納繰出部が構成されている。
【００４０】
図１および図７に示すように、紙幣処理装置３は、略直方体形状の内側筐体５０と、内側筐体５０の前面側に設けられ、紙幣の入金処理を行う際に操作者によって紙幣が投入される紙幣受入口６４ａと、内側筐体５０の前面側に設けられ、紙幣の出金処理を行う際に紙幣が払い出される紙幣取出口６６ａとを備えている。
【００４１】
また、図７に示すように、紙幣処理装置３の内側筐体５０の内部には、紙幣受入部６４、各紙幣収納部５６、紙幣払出部６６、出金リジェクト部５４および紙幣回収カセット５７の各々と、周回搬送部５３ａとの間をそれぞれ接続する複数の接続搬送部５３ｂが形成されている。また、周回搬送部５３ａには識別部５１が設けられており、この識別部５１は、当該識別部５１を通過する紙幣の金種、真偽、正損、新旧、搬送状態等の識別を行うようになっている。
【００４２】
また、周回搬送部５３ａと各接続搬送部５３ｂとの間で紙幣の搬送経路を切り換える経路切換部（図示せず）が、周回搬送部５３ａに沿って配置されている。
【００４３】
図７に示すように、内側筐体５０の前面には、紙幣受入部６４の紙幣受入口６４ａと、紙幣払出部６６の紙幣取出口６６ａとがそれぞれ設けられている。また、紙幣回収カセット５７は内側筐体５０に対して着脱可能に設置されている。
【００４４】
紙幣受入部６４は、投入された紙幣を検知すると駆動され、紙幣受入口６４ａに挿入された入金紙幣を一括で取り込んで、接続搬送部５３ｂを介して周回搬送部５３ａ側へ１枚ずつ繰り出すようになっている。各紙幣収納部５６は、識別部５１の識別結果に基づいて紙幣を金種別に収納するとともに収納されている紙幣を接続搬送部５３ｂを介して周回搬送部５３ａ側へ１枚ずつ繰り出すようになっている。より詳細には、各紙幣収納部５６は、紙幣が積層状態で集積される紙幣集積部分を有している。ここで、３つの紙幣収納部５６のうちある紙幣収納部５６には千円紙幣が収納され、別の紙幣収納部５６には五千円紙幣が収納され、更に別の紙幣収納部５６には一万円紙幣が収納されるようになっている。なお、五千円紙幣が収納される紙幣収納部５６に二千円紙幣も混合状態で収納されるようになっていてもよい。また、各紙幣収納部５６には、当該紙幣収納部５６の紙幣集積部分に集積されている紙幣を検知する光センサ等の残留検知センサ５６ａが設けられている。このような残留検知センサ５６ａにより、紙幣収納部５６の紙幣集積部分に少なくとも１枚の紙幣が集積されているか否かを検知することができるようになる。また、各紙幣収納部５６にはそれぞれ繰出部５９が設けられており、各紙幣収納部５６の紙幣集積部分に集積されている紙幣が繰出部５９により接続搬送部５３ｂを介して周回搬送部５３ａに繰り出されるようになっている。また、紙幣払出部６６（出金部）は、各紙幣収納部５６から周回搬送部５３ａに繰り出された紙幣を紙幣取出口６６ａにより内側筐体５０の外部へ放出するようになっている。
【００４５】
出金リジェクト部５４は、紙幣の出金処理が行われる際に紙幣収納部５６から繰り出された紙幣のうち、斜行等の搬送異常により識別部５１で正常に識別することができない紙幣を出金リジェクト紙幣として収納するようになっている。また、紙幣受入部６４から機体内に取り込まれた紙幣のうち、汚損等により識別部５１で正常に識別することができない紙幣は入金リジェクト紙幣として紙幣払出部６６に返却されるようになっている。
【００４６】
紙幣回収カセット５７は内側筐体５０の前面から引き出すことにより当該内側筐体５０の外部に取り出すことができるようになっている。
【００４７】
本実施の形態では、各紙幣収納部５６と、当該紙幣収納部５６に対応する各繰出部５９とを組み合わせることにより、紙幣を金種毎に収納するとともに収納されている紙幣を繰り出し可能な複数の紙幣収納繰出部が構成されている。
【００４８】
また、本実施の形態の貨幣処理機１には、当該貨幣処理機１の各構成部材の制御を行う制御部８０が設けられている。より詳細には、図８に示すように、制御部８０には、硬貨処理装置２の各構成部材（具体的には、繰出部１４、入金搬送部１６、識別部１８、金種別分岐部２２、リジェクト部２４、フル検知センサ３１ａ、繰出部４０（具体的には、駆動モータ４４ａ、ソレノイド４５ａ、４７ａ、先頭検知センサ４９ａ、整列検知センサ４９ｂ、繰出検知センサ４９ｃ）等）および紙幣処理装置３の各構成部材（具体的には、周回搬送部５３ａ、接続搬送部５３ｂ、識別部５１、紙幣受入部６４、紙幣払出部６６、紙幣収納部５６（具体的には、残留検知センサ５６ａ）、繰出部５９等）がそれぞれ接続されている。そして、硬貨処理装置２における識別部１８による硬貨の識別結果に係る情報やフル検知センサ３１ａによる硬貨の検知結果に係る情報等が制御部８０に送られるとともに、制御部８０は硬貨処理装置２の各構成部材に指令信号を送ることによりこれらの構成部材の動作を制御するようになっている。また、繰出部４０の各検知センサ４９ａ、４９ｂ、４９ｃによる硬貨の検知結果に係る信号も制御部８０に送られるようになっている。また、紙幣処理装置３における識別部５１による紙幣の識別結果に係る情報や残留検知センサ５６ａによる紙幣の検知結果に係る情報が制御部８０に送られるとともに、制御部８０は紙幣処理装置３の各構成部材に指令信号を送ることによりこれらの構成部材の動作を制御するようになっている。
【００４９】
また、図８に示すように、制御部８０には操作表示部８２、記憶部８４、印字部８６および通信インターフェース部８８がそれぞれ接続されている。操作表示部８２は例えば外側筐体１ａの上面手前側に設けられたタッチパネル等からなり、硬貨処理装置２や紙幣処理装置３における硬貨や紙幣の入金処理や出金処理等の処理状況や、各硬貨収納部３０ａ〜３０ｆや各紙幣収納部５６に収納されている硬貨や紙幣の在高等に関する情報が操作表示部８２に表示されるようになっている。また、操作者は操作表示部８２を操作することにより制御部８０に対して様々な指令を与えることができるようになっている。記憶部８４には、硬貨処理装置２や紙幣処理装置３における硬貨や紙幣の入金処理や出金処理等の処理履歴や、各硬貨収納部３０ａ〜３０ｆや各紙幣収納部５６に収納されている硬貨や紙幣の在高等に関する情報が記憶されるようになっている。また、印字部８６は、硬貨処理装置２や紙幣処理装置３における硬貨や紙幣の入金処理や出金処理等の処理結果や、各硬貨収納部３０ａ〜３０ｆや各紙幣収納部５６に収納されている硬貨や紙幣の在高等に関する情報をレシート等に印字するようになっている。また、制御部８０は通信インターフェース部８８を介して本実施の形態による貨幣処理機１とは別に設けられた外部装置（具体的には、例えばＰＯＳレジスタ等の上位端末）に対して信号の送受信を行うことができるようになっている。
【００５０】
また、図８に示すように、制御部８０には判定手段９０が接続されている。判定手段９０は、各硬貨収納部３０ａ〜３０ｆに対応する硬貨待機領域４１における硬貨の集積状態や、各紙幣収納部５６における紙幣の集積状態を事前に判定するようになっている。具体的には、硬貨処理装置２に関しては、判定手段９０は、１円硬貨、１０円硬貨および１００円硬貨については先頭検知センサ４９ａおよび整列検知センサ４９ｂによる硬貨の検知結果に基づいて、各硬貨収納部３０ｄ〜３０ｆに対応する硬貨待機領域４１における硬貨の集積状態を事前に判定する。より詳細に説明すると、１円硬貨、１０円硬貨および１００円硬貨については、先頭検知センサ４９ａおよび整列検知センサ４９ｂによりそれぞれ硬貨が検知された場合には、各硬貨収納部３０ｄ〜３０ｆに対応する硬貨待機領域４１における硬貨の集積状態が正常であると判定手段９０は判定する。一方、判定手段９０は、５円硬貨、５０円硬貨および５００円硬貨については先頭検知センサ４９ａによる硬貨の検知結果に基づいて、各硬貨収納部３０ａ〜３０ｃに対応する硬貨待機領域４１における硬貨の集積状態を事前に判定する。より詳細に説明すると、５円硬貨、５０円硬貨および５００円硬貨については、先頭検知センサ４９ａにより硬貨が検知された場合には、各硬貨収納部３０ａ〜３０ｃに対応する硬貨待機領域４１における硬貨の集積状態が正常であると判定手段９０は判定する。また、紙幣処理装置３に関しては、判定手段９０は、前回の取引においてある紙幣収納部５６から繰り出された紙幣に出金リジェクトが発生した場合には（すなわち、紙幣収納部５６から繰り出された紙幣が搬送異常等により紙幣払出部６６に送られずに出金リジェクト部５４に送られた場合には）、この紙幣収納部５６における紙幣の集積状態に異常があると判定する。
【００５１】
次に、このような構成からなる貨幣処理機１の動作について説明する。なお、以下に示すような貨幣処理機１の動作は、制御部８０が硬貨処理装置２や紙幣処理装置３の各構成部材を制御することにより行われるようになっている。
【００５２】
まず、硬貨処理装置２において硬貨の入金処理が行われる際の動作について説明する。硬貨処理装置２において硬貨の入金処理が行われる際に、操作者は最初に内側筐体１０の上面手前側に設けられた硬貨投入口に硬貨を投入する。硬貨投入口に投入された硬貨は硬貨受入部１２に受け入れられるようになる。また、硬貨受入部１２に設けられた図示しない残留検知センサによって硬貨受入部１２に受け入れられた硬貨が検知されると、繰出部１４が駆動されることにより当該繰出部１４によって硬貨が内側筐体１０の内部に１枚ずつ繰り出される。そして、繰出部１４によって内側筐体１０の内部に繰り出された硬貨は入金搬送部１６により１枚ずつ搬送され、識別部１８によりその金種、真偽、正損、表裏、新旧、搬送状態等の識別が行われる。ここで、識別部１８により正常であると識別された硬貨はリジェクト部２４のゲート部材２５により入金搬送部１６から分岐させられることなく当該入金搬送部１６により内側筐体１０の奥側の領域に送られ、各金種別分岐部２２により金種毎に入金搬送部１６から分岐させられることにより各硬貨収納部３０ａ〜３０ｆに収納されるようになる。一方、識別部１８により正常な硬貨ではないと識別された硬貨や識別部１８により識別することができなかった硬貨はリジェクト硬貨としてリジェクト部２４のゲート部材２５により入金搬送部１６から分岐させられ、この分岐させられたリジェクト硬貨はリジェクトシュート２４ａによりリジェクト口２６に送られる。また、上述したように、リジェクト口２６は内側筐体１０の前面側からアクセス可能となっているため、リジェクトシュート２４ａからリジェクト口２６に送られたリジェクト硬貨を操作者は内側筐体１０の前面側から当該内側筐体１０の外部に取り出して硬貨受入部１２に再投入等することができるようになる。
【００５３】
また、本実施の形態では、硬貨処理装置２において硬貨の入金処理が行われる際に、各硬貨収納部３０ａ〜３０ｆにおいて繰出部４０の繰出ベルト４２が硬貨の繰出方向に循環移動させられるとともにソレノイド４５ａが第１の停止部材４５を停止位置に位置させるようになっている。このことにより、後述する硬貨の出金処理に備えて各硬貨収納部３０ａ〜３０ｆの硬貨待機領域４１に所定の枚数（具体的には、４枚）の硬貨が１層１列状態で待機させられるようになる。
【００５４】
次に、紙幣処理装置３において紙幣の入金処理が行われる際の動作について説明する。紙幣処理装置３において紙幣の入金処理が行われる際に、操作者は最初に内側筐体５０の前面に設けられた紙幣受入口６４ａに紙幣を投入する。紙幣受入部６４は、紙幣受入口６４ａに投入された紙幣を検知すると駆動され、紙幣受入口６４ａに挿入された入金紙幣を一括で取り込んで、接続搬送部５３ｂを介して周回搬送部５３ａ側へ１枚ずつ紙幣を繰り出す。そして、周回搬送部５３ａで搬送される紙幣は識別部５１によりその金種や真偽、正損等が識別される。そして、識別部５１の識別結果に基づいて周回搬送部５３ａから各紙幣収納部５６に紙幣が金種毎に送られる。このことにより、各紙幣収納部５６に紙幣が金種毎に収納されるようになる。
【００５５】
次に、硬貨処理装置２において硬貨の出金処理が行われる際の動作について説明する。硬貨処理装置２において硬貨の出金処理が行われる際に、操作者が操作表示部８２によって出金されるべき硬貨の金種毎の枚数や合計金額等の出金処理に係る情報を入力したり、ＰＯＳレジスタ等の外部装置から通信インターフェース部８８を介して制御部８０に出金されるべき硬貨の金種毎の枚数や合計金額等の出金処理に係る情報が送られたりすると、出金されるべき硬貨の金種に対応する硬貨収納部３０ａ〜３０ｆにおいて繰出部４０の繰出ベルト４２が硬貨の繰出方向に循環移動させられるとともに第１の停止部材４５がソレノイド４５ａにより停止位置から退避位置に移動させられるようになる。このことにより、硬貨待機領域４１で待機していた硬貨が第１の停止部材４５を通過して硬貨案内溝３４または硬貨払出部３２に送られるようになる。また、硬貨案内溝３４に送られた硬貨は、当該硬貨案内溝３４において図２における左方向に立位状態で転がりながら移動することにより硬貨払出部３２に送られるようになる。このようにして、出金されるべき硬貨が硬貨払出部３２に集積されるようになる。また、上述したように、硬貨払出部３２は内側筐体１０の前面側からアクセス可能となっているため、操作者は硬貨払出部３２に手を入れることにより出金硬貨を内側筐体１０の前面側から当該内側筐体１０の外部に取り出すことができるようになる。
【００５６】
次に、紙幣処理装置３において紙幣の出金処理が行われる際の動作について説明する。紙幣処理装置３において紙幣の出金処理が行われる際に、操作者が操作表示部８２によって出金されるべき紙幣の金種毎の枚数や合計金額等の出金処理に係る情報を入力したり、ＰＯＳレジスタ等の外部装置から通信インターフェース部８８を介して制御部８０に出金されるべき紙幣の金種毎の枚数や合計金額等の出金処理に係る情報が送られたりすると、出金されるべき紙幣の金種に対応する各紙幣収納部５６から紙幣が繰り出され、この繰り出された紙幣は周回搬送部５３ａにより搬送される。そして、周回搬送部５３ａにより搬送される紙幣は識別部５１によりその搬送状態等が識別される。ここで、搬送状態が正常であると識別部５１により識別された紙幣は周回搬送部５３ａから紙幣払出部６６に送られる。そして、紙幣払出部６６は、出金されるべき紙幣が全て紙幣払出部６６に送られるとこれらの紙幣を紙幣取出口６６ａにより内側筐体５０の外部へ放出する。このことにより、操作者は紙幣取出口６６ａから出金紙幣を内側筐体５０の外部に取り出すことができるようになる。また、斜行や重送、連鎖等の搬送異常であると識別部５１により識別された紙幣は周回搬送部５３ａから出金リジェクト部５４に送られ、この出金リジェクト部５４に集積されるようになる。
【００５７】
また、本実施の形態では、制御部８０は、硬貨や紙幣の出金処理が行われる際に、各硬貨収納部３０ａ〜３０ｆに対応する硬貨待機領域４１における硬貨の集積状態や、各紙幣収納部５６の紙幣集積部分における紙幣の集積状態に異常がある場合には、これらの硬貨待機領域４１や紙幣収納部５６から硬貨や紙幣を繰り出す代わりに、これらの硬貨待機領域４１や紙幣収納部５６に係る金種の金額よりも小さい金額の金種が割り当てられている別の硬貨収納部３０ａ〜３０ｆ（または当該硬貨収納部３０ａ〜３０ｆに対応する硬貨待機領域４１）や紙幣収納部５６から同じ金額分の硬貨や紙幣を繰り出すよう繰出部４０や繰出部５９を制御するようになっている。より詳細には、制御部８０は、判定手段９０による判定結果に基づいて、硬貨待機領域４１や紙幣収納部５６において硬貨や紙幣の集積状態に異常があるか否かを判断するようになっている。このような技術的事項の詳細について以下に説明する。
【００５８】
まず、硬貨処理装置２において硬貨の出金処理が行われる場合について説明する。上述したように、判定手段９０は、各硬貨収納部３０ａ〜３０ｆに対応する硬貨待機領域４１における硬貨の集積状態を事前に判定するようになっている。具体的には、判定手段９０は、１円硬貨、１０円硬貨および１００円硬貨については先頭検知センサ４９ａおよび整列検知センサ４９ｂによる硬貨の検知結果に基づいて、各硬貨収納部３０ｄ〜３０ｆに対応する硬貨待機領域４１における硬貨の集積状態を事前に判定する。より詳細に説明すると、１円硬貨、１０円硬貨および１００円硬貨については、先頭検知センサ４９ａおよび整列検知センサ４９ｂによりそれぞれ硬貨が検知された場合には、各硬貨収納部３０ｄ〜３０ｆに対応する硬貨待機領域４１における硬貨の集積状態が正常であると判定手段９０は判定する。一方、先頭検知センサ４９ａおよび整列検知センサ４９ｂのうち少なくともいずれか一方のセンサにより硬貨が検知されない場合には、各硬貨収納部３０ｄ〜３０ｆに対応する硬貨待機領域４１における硬貨の集積状態に異常があると判定する。また、５円硬貨、５０円硬貨および５００円硬貨については、先頭検知センサ４９ａにより硬貨が検知された場合には、各硬貨収納部３０ａ〜３０ｃに対応する硬貨待機領域４１における硬貨の集積状態が正常であると判定手段９０は判定する。一方、先頭検知センサ４９ａにより硬貨が検知されない場合には、各硬貨収納部３０ａ〜３０ｃに対応する硬貨待機領域４１における硬貨の集積状態に異常があると判定手段９０は判定する。
【００５９】
そして、制御部８０は、硬貨の出金処理が行われる際に、各硬貨収納部３０ａ〜３０ｆに対応する硬貨待機領域４１における硬貨の集積状態に異常がある場合には、この硬貨待機領域４１から硬貨を繰り出す代わりに、この硬貨待機領域４１に対応する硬貨収納部３０ａ〜３０ｆに係る金種の金額よりも小さい金額の金種が割り当てられた別の硬貨収納部３０ａ〜３０ｆ（または当該硬貨収納部３０ａ〜３０ｆに対応する硬貨待機領域４１）から同じ金額分の硬貨を繰り出すよう繰出部４０を制御する。具体的には、例えば出金されるべき硬貨に１枚の５０円硬貨が含まれる場合において、５０円硬貨が収納される硬貨収納部３０ａに対応する硬貨待機領域４１に５０円硬貨が存在しておらず、先頭検知センサ４９ａにより硬貨が検知されないことにより５０円硬貨の硬貨収納部３０ａに対応する硬貨待機領域４１における硬貨の集積状態に異常があると判定手段９０により判定されたときには、硬貨処理装置２から１枚の５０円硬貨が出金される代わりに５枚の１０円硬貨が出金されるようになる。この場合には、５０円硬貨が収納される硬貨収納部３０ａに対応する硬貨待機領域４１における硬貨の集積状態に異常があっても、この硬貨待機領域４１から硬貨を繰り出す代わりに１０円硬貨が収納される硬貨収納部３０ｅ（または当該硬貨収納部３０ｅに対応する硬貨待機領域４１）から硬貨を繰り出すことにより、硬貨の出金処理にかかる時間が長くなってしまうことを防止することができるようになる。
【００６０】
また、本実施の形態では、硬貨の出金処理が行われる際に、出金されるべき１円硬貨、１０円硬貨または１００円硬貨の枚数が１枚である場合には、少なくとも先頭検知センサ４９ａまたは整列検知センサ４９ｂにより硬貨が検知されているときには、この１円硬貨、１０円硬貨または１００円硬貨が収納される硬貨収納部３０ｄ〜３０ｆに対応する硬貨待機領域４１における硬貨の集積状態に異常があると判定手段９０により判定されているときでも、この硬貨待機領域４１から硬貨を繰り出すようにしてもよい。硬貨待機領域４１に１枚でも硬貨がある場合には、この硬貨を硬貨待機領域４１から繰り出すことにより硬貨の出金処理にかかる時間が長くなってしまうことを防止することができるからである。また、硬貨の出金処理が行われる際に、出金されるべき１円硬貨、１０円硬貨または１００円硬貨の枚数が２枚である場合には、少なくとも先頭検知センサ４９ａおよび整列検知センサ４９ｂによりそれぞれ硬貨が検知されているときには、この１円硬貨、１０円硬貨または１００円硬貨が収納される硬貨収納部３０ｄ〜３０ｆに対応する硬貨待機領域４１における硬貨の集積状態に異常があると判定手段９０により判定されているときでも、この硬貨待機領域４１から硬貨を繰り出すようにしてもよい。硬貨待機領域４１に少なくとも２枚の硬貨がある場合には、２枚の硬貨を硬貨待機領域４１から繰り出すことにより硬貨の出金処理にかかる時間が長くなってしまうことを防止することができるからである。
【００６１】
次に、紙幣処理装置３において紙幣の出金処理が行われる場合について説明する。上述したように、判定手段９０は、各紙幣収納部５６の紙幣集積部分における紙幣の集積状態を事前に判定するようになっている。具体的には、判定手段９０は、前回の取引においてある紙幣収納部５６から繰り出された紙幣に出金リジェクトが発生した場合には（すなわち、紙幣収納部５６から繰り出された紙幣が搬送異常等により紙幣払出部６６に送られずに出金リジェクト部５４に送られた場合には）、この紙幣収納部５６の紙幣集積部分における紙幣の集積状態に異常があると判定する。そして、ある紙幣収納部５６の紙幣集積部分における紙幣の集積状態に異常がある場合には、制御部８０は、この紙幣収納部５６から紙幣を繰り出す代わりに、当該紙幣収納部５６に係る金種の金額よりも小さい金額の金種に対応する別の紙幣収納部５６から同じ金額分の紙幣を繰り出すよう当該紙幣収納部５６に対応する繰出部５９を制御する。具体的には、例えば出金されるべき紙幣に１枚の五千円紙幣が含まれる場合に、前回の取引において五千円紙幣に対応する紙幣収納部５６から繰り出された紙幣に出金リジェクトが発生しており、五千円紙幣に対応する紙幣収納部５６における紙幣の集積状態に異常があると判定手段９０により判定されたときには、紙幣処理装置３から１枚の五千円紙幣が出金される代わりに５枚の千円紙幣が出金されるようになる。この場合には、五千円紙幣に対応する紙幣収納部５６における紙幣の集積状態に異常があっても、この紙幣収納部５６から紙幣を繰り出す代わりに千円紙幣が収納される紙幣収納部５６から紙幣を繰り出すことにより、紙幣の出金処理にかかる時間が長くなってしまうことを防止することができるようになる。
【００６２】
また、本実施の形態では、制御部８０は、紙幣の出金処理が行われる際に、ある紙幣収納部５６の紙幣集積部分における紙幣の集積状態に異常がある場合に加えて、制御部８０により管理される各紙幣収納部５６の紙幣の在高（具体的には、収納されている紙幣の金種毎の枚数）が０となった場合に、この紙幣収納部５６から紙幣を繰り出す代わりに、当該紙幣収納部５６に係る金種の金額よりも小さい金額の金種に対応する別の紙幣収納部５６から同じ金額分の紙幣を繰り出すよう当該紙幣収納部５６に対応する繰出部５９を制御するようになっている。ここで、制御部８０により管理される各紙幣収納部５６の紙幣の在高として、通常在高および出金用仮想在高の２種類が用いられるようになっている。通常在高については、紙幣の出金処理において紙幣収納部５６から所定枚数の紙幣が繰り出されるとこの所定枚数分だけ元の在高から減算されるようになる。一方、出金用仮想在高については、紙幣の出金処理において紙幣収納部５６から所定枚数の紙幣が繰り出されたときに、繰り出された紙幣について出金リジェクトが発生した場合には出金リジェクトが発生した紙幣の枚数に所定の係数（例えば、２）を掛けた数を元の在高から減算するようになる。紙幣収納部５６から繰り出された紙幣について出金リジェクトが発生した場合には、紙幣収納部５６から２枚の紙幣が重送状態または連鎖状態で繰り出された可能性があり、この場合には制御部８０により管理される通常在高では１枚の紙幣が繰り出されたとみなされるものの実際には２枚の紙幣が繰り出されるおそれがあるからである。このように、紙幣収納部５６から繰り出された紙幣について出金リジェクトが発生した場合には、制御部８０により管理される通常在高と紙幣収納部５６に収納されている実際の紙幣の枚数が異なるようになる可能性がある。この場合には、紙幣の出金処理が行われる際に、紙幣収納部５６に実際には紙幣が収納されていないのに、制御部８０により管理される通常在高では紙幣収納部５６に紙幣が収納されていると判定されるようになり、当該紙幣収納部５６から紙幣を繰り出す際にエラーが発生してしまうおそれがある。
【００６３】
このため、紙幣の出金処理が行われる際に、上述した出金用仮想在高を用いるようにする。具体的には、制御部８０は、紙幣の出金処理が行われる際に、ある紙幣収納部５６における紙幣の集積状態に異常がある場合に加えて、制御部８０により管理される各紙幣収納部５６の紙幣の出金用仮想在高が０となった場合に、この紙幣収納部５６から紙幣を繰り出す代わりに、当該紙幣収納部５６に係る金種の金額よりも小さい金額の金種に対応する別の紙幣収納部５６から同じ金額分の紙幣を繰り出すよう当該紙幣収納部５６に対応する繰出部５９を制御する。具体的には、例えば出金されるべき紙幣に１枚の五千円紙幣が含まれる場合に、五千円紙幣が収納される紙幣収納部５６における紙幣の出金用仮想在高が０であるときには、紙幣処理装置３から１枚の五千円紙幣が出金される代わりに５枚の千円紙幣が出金されるようになる。この場合には、五千円紙幣が収納される紙幣収納部５６に紙幣が集積されていなくても、この紙幣収納部５６から紙幣を繰り出す代わりに千円紙幣が収納される紙幣収納部５６から紙幣を繰り出すことにより、紙幣の出金処理にかかる時間が長くなってしまうことを防止することができるようになる。
【００６４】
なお、上記の説明では、紙幣の出金処理が行われる際に各紙幣収納部５６に紙幣が収納されているか否かを判定するにあたり出金用仮想在高を用いるような態様について述べたが、このような態様に限定されることはない。他の例として、紙幣の出金処理が行われる際に各紙幣収納部５６に紙幣が収納されているか否かを判定するにあたり出金用仮想在高ではなく通常在高が用いられてもよい。
【００６５】
また、本実施の形態では、制御部８０は、紙幣の出金処理が行われる際に、ある紙幣収納部５６の紙幣集積部分における紙幣の集積状態に異常がある場合に加えて、ある紙幣収納部５６の紙幣集積部分に紙幣が集積されていないことが残留検知センサ５６ａにより検知された場合に、この紙幣収納部５６から紙幣を繰り出す代わりに、当該紙幣収納部５６に係る金種の金額よりも小さい金額の金種に対応する別の紙幣収納部５６から同じ金額分の紙幣を繰り出すよう当該紙幣収納部５６に対応する繰出部５９を制御するようになっている。具体的には、例えば出金されるべき紙幣に１枚の五千円紙幣が含まれる場合に、五千円紙幣に対応する紙幣収納部５６において残留検知センサ５６ａにより紙幣が検知されなかったときには、紙幣処理装置３から１枚の五千円紙幣が出金される代わりに５枚の千円紙幣が出金されるようになる。この場合には、五千円紙幣に対応する紙幣収納部５６に紙幣が実際には集積されていなくても、この紙幣収納部５６から紙幣を繰り出す代わりに千円紙幣に対応する紙幣収納部５６から紙幣を繰り出すことにより、紙幣の出金処理にかかる時間が長くなってしまうことを防止することができるようになる。
【００６６】
また、本実施の形態では、制御部８０は、貨幣の出金処理が行われる際に、ある紙幣収納部５６の紙幣集積部分における紙幣の集積状態に異常がある場合には、この紙幣収納部５６から紙幣を繰り出す代わりに、当該紙幣収納部５６に係る金種の金額よりも小さい金額の金種が割り当てられている硬貨収納部３０ａ〜３０ｆ（または当該硬貨収納部３０ａ〜３０ｆに対応する硬貨待機領域４１）から同じ金額分の硬貨を繰り出すよう繰出部４０を制御するようになっている。具体的には、例えば紙幣の出金処理が行われる際に、出金されるべき紙幣に１枚の千円紙幣が含まれているときに、千円紙幣が収納される紙幣収納部５６における紙幣の集積状態に異常がある場合には、千円紙幣が収納される紙幣収納部５６から紙幣を繰り出す代わりに、５００円硬貨が収納される硬貨収納部３０ｃに対応する硬貨待機領域４１から２枚の５００円硬貨を繰り出すようにする。この場合には、千円紙幣が収納される紙幣収納部５６における紙幣の集積状態に異常があっても、この紙幣収納部５６から紙幣を繰り出す代わりに５００円硬貨が収納される硬貨収納部３０ｃに対応する硬貨待機領域４１から硬貨を繰り出すことにより、貨幣の出金処理にかかる時間が長くなってしまうことを防止することができるようになる。
【００６７】
以上のような構成からなる本実施の形態の貨幣処理機１によれば、制御部８０は、硬貨や紙幣の出金処理が行われる際に、ある収納繰出部（具体的には、硬貨待機領域４１や紙幣収納部５６）における硬貨や紙幣の集積状態に異常がある場合には、この収納繰出部から硬貨や紙幣を繰り出す代わりに、当該収納繰出部に係る金種の金額よりも小さい金額の金種に対応する別の収納繰出部から同じ金額分の硬貨や紙幣を繰り出すよう収納繰出部（具体的には、繰出部４０や繰出部５９）を制御するようになっている。このことにより、出金されるべき貨幣の金種に対応する収納繰出部における硬貨や紙幣の集積状態に異常がある場合でも、硬貨や紙幣の出金処理にかかる時間が長くなってしまうことを防止することができる。
【００６８】
より詳細に説明すると、従来の貨幣釣銭機において、硬貨処理装置の硬貨待機領域に所定枚数の硬貨が待機していない場合には、釣銭としての硬貨の出金処理が行われる際に、出金されるべき硬貨の枚数によっては硬貨待機領域で待機している硬貨の枚数が不足することにより硬貨収納領域から硬貨を繰り出さなければならず、硬貨の出金処理にかかる時間が長くなってしまうという問題があった。また、紙幣処理装置についても、当該紙幣処理装置における紙幣収納部に収納されている紙幣の集積状態が悪い場合にはこの紙幣収納部から紙幣をスムーズに繰り出すことができず、紙幣の出金処理にかかる時間が長くなってしまうという問題があった。これに対し、本実施の形態の貨幣処理機１では、出金されるべき貨幣の金種に対応する収納繰出部における硬貨や紙幣の集積状態に異常がある場合には、別の収納繰出部から同じ金額分の硬貨や紙幣を繰り出すことにより、硬貨や紙幣の出金処理にかかる時間が長くなってしまうことを防止することができる。
【００６９】
なお、本実施の形態による貨幣処理機１は、上述したような態様に限定されることはなく、様々な変更を加えることができる。
【００７０】
例えば、本実施の形態による貨幣処理機１は、硬貨処理装置２および紙幣処理装置３を組み合わせたものに限定されることはない。本実施の形態による貨幣処理機１として、硬貨処理装置２または紙幣処理装置３が単体で用いられてもよい。
【００７１】
また、硬貨処理装置２において、各硬貨収納部３０ａ〜３０ｆに対応する硬貨待機領域４１に待機している硬貨の枚数に係る情報が制御部８０において取得されるようになっていてもよい。具体的には、硬貨処理装置２において硬貨の入金処理が行われる際に、各硬貨収納部３０ａ〜３０ｆにおいて繰出部４０の繰出ベルト４２が硬貨の繰出方向に循環移動させられるとともにソレノイド４５ａが第１の停止部材４５を停止位置に位置させるようになっているが、この際に整列検知センサ４９ｂにより検知された硬貨の枚数に基づいて各硬貨収納部３０ａ〜３０ｆに対応する硬貨待機領域４１に待機している硬貨の枚数が算出されるようになる。また、各硬貨収納部３０ａ〜３０ｆに対応する硬貨待機領域４１に待機している硬貨の枚数に係る情報が制御部８０において取得される場合には、硬貨処理装置２において硬貨の出金処理が行われる際に、出金されるべき金種の硬貨が収納されている各硬貨収納部３０ａ〜３０ｆに対応する硬貨待機領域４１に待機している硬貨の枚数が、出金されるべき当該金種の硬貨の枚数よりも少ない場合には、この硬貨待機領域４１から硬貨を繰り出す代わりに、この硬貨待機領域４１に対応する硬貨収納部３０ａ〜３０ｆに係る金種の金額よりも小さい金額の金種が割り当てられた別の硬貨収納部３０ａ〜３０ｆ（または当該硬貨収納部３０ａ〜３０ｆに対応する硬貨待機領域４１）から同じ金額分の硬貨を繰り出すよう繰出部４０を制御する。具体的には、出金されるべき１００円硬貨の枚数が４枚である場合に、１００円硬貨に対応する硬貨収納部３０ｄに対応する硬貨待機領域４１に待機している硬貨の枚数が３枚以下であるときには、不足分の１００円硬貨に関しては同じ金額分の５０円硬貨が出金されるようになる。このような運用を行った場合にも、硬貨の出金処理にかかる時間が長くなってしまうことを防止することができるようになる。
【００７２】
また、紙幣処理装置３に適用される上述の出金用仮想在高が硬貨処理装置２にも適用されるようになっていてもよい。具体的には、制御部８０は、整列検知センサ４９ｂによる硬貨の検知情報に基づいて、各硬貨収納部３０ａ〜３０ｆの在高（具体的には、収納されている硬貨の金種毎の枚数）を管理するようになっている。より詳細には、繰出部４０の繰出ベルト４２が繰出方向（すなわち、図４や図５における矢印方向）に循環移動すると、各硬貨収納部３０ａ〜３０ｆに収納されている硬貨が当該硬貨収納部３０ａ〜３０ｆから繰り出されるが、この際に各硬貨収納部３０ａ〜３０ｆの出口に位置する整列検知センサ４９ｂにより硬貨が検知される度に、制御部８０により管理される各硬貨収納部３０ａ〜３０ｆの硬貨の収納枚数が１枚減算される。ここで、制御部８０により管理される各硬貨収納部３０ａ〜３０ｆの硬貨の在高として、通常在高および出金用仮想在高の２種類を用いてもよい。通常在高については、繰出部４０の繰出ベルト４２により硬貨収納部３０ａ〜３０ｆから硬貨が繰り出されると整列検知センサ４９ｂにより検知された硬貨の枚数分だけ元の在高から減算されるようになる。一方、出金用仮想在高については、繰出部４０の繰出ベルト４２により硬貨収納部３０ａ〜３０ｆから硬貨が繰り出される際に硬貨収納部３０ａ〜３０ｆや繰出部４０において異常した場合には整列検知センサ４９ｂにより検知された硬貨の枚数に所定の係数（例えば、２）を掛けた数を元の在高から減算するようになる。
【００７３】
繰出部４０の繰出ベルト４２により硬貨収納部３０ａ〜３０ｆから硬貨が繰り出される際に硬貨収納部３０ａ〜３０ｆや繰出部４０において異常した場合には、硬貨収納部３０ａ〜３０ｆから２枚以上の硬貨が重なった状態で繰り出された可能性があり、この場合には整列検知センサ４９ｂにより１枚の硬貨しか検知されないため制御部８０により管理される通常在高では１枚の硬貨が繰り出されたとみなされるものの実際には２枚以上の硬貨が繰り出されるおそれがある。このように、繰出部４０の繰出ベルト４２により硬貨収納部３０ａ〜３０ｆから硬貨が繰り出される際に硬貨収納部３０ａ〜３０ｆや繰出部４０において異常した場合には、制御部８０により管理される通常在高と硬貨収納部３０ａ〜３０ｆに収納されている実際の硬貨の枚数が異なるようになる可能性がある。この場合には、繰出部４０の繰出ベルト４２により硬貨収納部３０ａ〜３０ｆから硬貨が繰り出される際に、硬貨収納部３０ａ〜３０ｆが空状態になると、硬貨収納部３０ａ〜３０ｆに実際には硬貨が収納されていないのに、制御部８０により管理される通常在高では硬貨収納部３０ａ〜３０ｆに硬貨が収納されていると判定されるようになり、当該硬貨収納部３０ａ〜３０ｆから硬貨を繰り出す際にエラーが発生してしまうおそれがある。これに対し、上述した出金用仮想在高を用いた場合には、硬貨収納部３０ａ〜３０ｆから２枚以上の硬貨が重なった状態で繰り出されても、整列検知センサ４９ｂにより検知された硬貨の枚数に所定の係数を掛けた数を元の在高から減算することにより、硬貨収納部３０ａ〜３０ｆの在高を制御部８０によってより精度良く管理することができるようになる。
【００７４】
また、本発明に係る貨幣処理機は、コンビニエンスストアやスーパーマーケット等の商業施設の店舗における顧客が商品の精算処理を行う精算所に設置される貨幣釣銭機に限定されることはない。本発明に係る貨幣処理機として、出納機や両替機等の、貨幣釣銭機以外のものが用いられてもよい。
【符号の説明】
【００７５】
１      貨幣処理機
１ａ    外側筐体
２      硬貨処理装置
３      紙幣処理装置
１０    内側筐体
１２    硬貨受入部
１４    繰出部
１４ａ  繰出ベルト
１６    入金搬送部
１６ａ  循環ベルト
１６ｂ  プーリ
１６ｃ  搬送面
１８    識別部
２２    金種別分岐部
２４    リジェクト部
２４ａ  リジェクトシュート
２５    ゲート部材
２５ａ  軸
２５ｂ  上面
２６    リジェクト口
３０ａ〜３０ｆ  硬貨収納部
３１    硬貨収納領域
３１ａ  フル検知センサ
３２    硬貨払出部
３４    硬貨案内溝
４０    繰出部
４１    硬貨待機領域
４２    繰出ベルト
４３    ガイド部材
４４    プーリ
４４ａ  駆動モータ
４５    第１の停止部材
４５ａ  ソレノイド
４６    逆転ローラ
４７    第２の停止部材
４７ａ  ソレノイド
４８    撹拌部材
４８ａ  鎖
４９ａ  先頭検知センサ
４９ｂ  整列検知センサ
４９ｃ  繰出検知センサ
５０    内側筐体
５１    識別部
５３ａ  周回搬送部
５３ｂ  接続搬送部
５４    出金リジェクト部
５６    紙幣収納部
５６ａ  残留検知センサ
５７    紙幣回収カセット
５９    繰出部
６４    紙幣受入部
６４ａ  紙幣受入口
６６    紙幣払出部
６６ａ  紙幣取出口
８０    制御部
８２    操作表示部
８４    記憶部
８６    印字部
８８    通信インターフェース部
９０    判定手段
【図１】
2018147224.tif 000003
【図２】
2018147224.tif 000004
【図３】
2018147224.tif 000005
【図４】
2018147224.tif 000006
【図５】
2018147224.tif 000007
【図６】
2018147224.tif 000008
【図７】
2018147224.tif 000009
【図８】
2018147224.tif 000010